(57)【特許請求の範囲】
【請求項１】
壁面から離間した位置に、支持用の基台を介して取付けられた照明器具のための照明器具用脱落防止金具であって、
前記照明器具の少なくとも上辺および下辺の対応する位置にそれぞれ設けられた第１部材と、
前記第１部材のそれぞれに取り付けられ、該第１部材から前記照明器具の前面に至る長さを有し、前記照明器具を保持する第２部材と、
前記照明器具の上辺および下辺の対応する位置に設けられた前記第２部材同士を、前記照明器具の背面側で連結する連結具と
を備え、
前記第２部材の先端が内側に折り曲げられた形状とされて、前記照明器具を保持する保持部として形成されている照明器具用脱落防止金具。
【請求項２】
前記第１部材は、前記基台を固定するアンカーボルトとは異なるアンカーボルトに取り付けられた請求項１記載の照明器具用脱落防止金具。
【請求項３】
前記第１部材は、前記照明器具が固定される基台の一部に取り付けられた請求項１記載の照明器具用脱落防止金具。
【請求項４】
請求項１記載の照明器具用脱落防止金具であって、
前記第１部材は、前記照明器具の上辺および下辺に沿った複数箇所に設けられ、
前記第２部材は、前記複数箇所の第１部材のそれぞれに対応して設けられ、
前記連結具は、複数の前記第２部材のそれぞれの組み合わせに対して、それぞれ設けられた
照明器具用脱落防止金具。
【請求項５】
前記連結具は、両端に雄ネジが形成されたボルトである請求項１から請求項４のいずれか一項に記載の照明器具用脱落防止金具。
【請求項６】
壁面から離間した位置に、支持台を介して取付けられた照明器具の脱落防止方法であって、
前記照明器具の上辺および下辺に対応する位置に設けられた複数の第１部材に、該第１部材から前記照明器具の前面に至る長さを有する第２部材を取り付け、
前記照明器具の上辺および下辺の対応する位置に設けられた前記第２部材同士を、連結具により、前記照明器具の背面側で連結し、
前記第２部材の先端が内側に折り曲げられた形状とされた保持部により、前記照明器具を保持する
照明器具の脱落防止方法。
【発明の詳細な説明】
【技術分野】
【０００１】
本発明は、照明器具用脱落防止金具および脱落防止方法に関するものである。
【背景技術】
【０００２】
高速道路のトンネル内には、多数の照明器具が、壁面から離間した位置に、支持台を介して取付けられている。支持台は、トンネル壁面に設置されたアンカーボルトに固定されている。照明器具は、前面に透明なパネルを備え、内部に配置された発光源（電球等）を取り替える必要性から、このパネルが取り外せるようになっていることが多く、そのため、照明器具と支持台との取付けは、通常、照明器具の背面で行なわれる（例えば、特許文献１参照）。
【先行技術文献】
【特許文献】
【０００３】
【特許文献１】特開平９−３０６２１２号公報
【発明の概要】
【発明が解決しようとする課題】
【０００４】
こうした照明器具は、支持台に取り付けられているが、脱落する虞があった。これは、上記の様に、照明器具と支持台の取付けが照明器具の背面で行なわれていること、照明器具自体は重量を重くしないことから、比較的薄い金属ケースに収納されていることによっている。照明器具の金属ケースが錆や腐食などにより痛むと、支持台が十分な強度を有してもいても、金属ケースが破損して、器具が脱落するのである。こうした課題に対して、照明器具の金属ケースの傷みを回避するために、その厚みを厚くすることが考えられるが、そうすると照明器具の重量が増し、壁面から略水平方向に飛び出した支持台との固定箇所に、大きな力がかかってしまい、振動などが加わった場合の破損の可能性を却って高めてしまう。また、既にトンネル内などに配置された多数の照明器具の脱落を防止するために、全ての照明器具を取り替えなくてはならなくなる。
【課題を解決するための手段】
【０００５】
本発明は、上述の課題の少なくとも一部を解決するためになされたものであり、以下の形態又は適用例として実現することが可能である。本発明の第１の実施形態として、壁面から離間した位置に、支持用の基台を介して取付けられた照明器具用脱落防止金具が提供される。この照明器具用脱落防止金具は、前記照明器具の少なくとも上辺および下辺の対応する位置にそれぞれ設けられた第１部材と、前記第１部材のそれぞれに取り付けられ、該第１部材から前記照明器具の前面に至る長さを有し、前記照明器具を保持する第２部材と、前記照明器具の上辺および下辺の対応する位置に設けられた前記第２部材同士を、前記照明器具の背面側で連結する連結具とを備え、前記第２部材は、その先端が内側に屈曲されて、前記照明器具を保持する保持部として形成されている。従って、第２部材の先端で、照明器具を保持することができるので、照明器具の脱落を容易に防止でき、しかも既設の照明器具に対して、簡易にあと施工することができるので、設置から年月が経過して、傷みなどが進行している照明器具の脱落を未然に防ぐことができる。
【０００６】
（１）本発明の第１の実施形態として、照明器具用脱落防止金具が提供される。この照明器具用脱落防止金具は、壁面から離間した位置に、支持用の基台を介して取付けられた照明器具用の脱落防止金具であって、前記照明器具の少なくとも上辺および下辺の対応する位置にそれぞれ設けられた第１部材と、前記第１部材のそれぞれに取り付けられ、該第１部材から前記照明器具の前面に至る長さを有し、前記照明器具を保持する第２部材と、前記照明器具の上辺および下辺の対応する位置に設けられた前記第２部材同士を、前記照明器具の背面側で連結する連結具とを備えたものとして良い。
【０００７】
かかる照明器具用脱落防止金具によれば、照明器具の脱落を容易に防止できる。しかも既設の照明器具に対して、簡易にあと施工することができるので、設置から年月が経過して、傷みなどが進行している照明器具の脱落を未然に防ぐことができる。
【０００８】
（２）かかる照明器具用脱落防止金具において、前記第１部材は、前記基台を固定するアンカーボルトとは異なるアンカーボルトに取り付けられた構成として良い。こうすれば、照明器具用脱落防止金具全体を既設の照明器具とは別個の部材により構成できるので、照明器具の脱落を一層確実に防止することができる。
【０００９】
（３）上記照明器具用脱落防止金具において、前記第１部材は、前記照明器具が固定される基台の一部に取り付けられた構成としてもよい。こうすれば、照明器具用脱落防止金具の一部の部品を、既設の照明器具の基台の部品と共用でき、簡易に設置することができる。また、新たなアンカーボルトなどを設置しないで構成することも可能となり、設置の時間や費用を低減することができる。
【００１０】
（４）こうした照明器具用脱落防止金具において、前記第１部材として機能する前記基台の一部と、前記第２部材とのそれぞれを挟み込む挟持具を備え、前記第２部材は、前記基台の一部を挟み込んだ挟持具に固定されるものとしてよい。こうすれば、照明器具用脱落防止金具を既設の照明器具の基台に容易に取り付けることができる。
【００１１】
（５）上記の各照明器具用脱落防止金具において、前記第２部材は、その先端が折り曲げられて、前記照明器具を保持する保持部として形成して良い。こうすれば、第２部材の先端で、照明器具を保持することができ、脱落防止を一層確実にすることができる。
【００１２】
（６）こうした照明器具用脱落防止金具において、前記第１部材は、前記照明器具の上辺および下辺に沿った複数箇所に設けられ、前記第２部材は、前記複数箇所の第１部材のそれぞれに対応して設けられ、前記連結具は、複数の前記第２部材のそれぞれの組み合わせに対して、それぞれ設けられたものとしてよい。第１，第２部材および連結具を複数箇所に設けるので、照明器具の脱落を一層確実に防止することができる。
【００１３】
（７）前記連結具は、両端に雄ネジが形成されたボルトとして良い。こうすれば、簡易な構成により、確実に両方の第２部材を連結することができる。
【００１４】
（８）本発明の第２の実施形態として、照明器具の脱落防止方法が提供される。かかる方法は、壁面から離間した位置に、支持台を介して取付けらた照明器具用の脱落防止方法であって、前記照明器具の上辺およびに対応する位置に設けられた複数の第１部材に、該第１部材から前記照明器具の前面に至る長さを有する第２部材を取り付け、前記照明器具の上辺および下辺の対応する位置に設けられた前記第２部材同士を、連結具により、前記照明器具の背面側で連結するものとしてよい。こうすれば、照明器具の脱落を容易に防止することができる。
【図面の簡単な説明】
【００１５】
【図１】第１実施形態の照明器具用脱落防止金具の取り付け状態を例示する斜視図。
【図２】第１実施形態の照明器具用脱落防止金具を正面から示す正面図。
【図３】第１実施形態の照明器具用脱落防止金具の側面図。
【図４】第１実施形態の照明器具用脱落防止金具における第２部材の形状を示す説明図。
【図５】第２実施形態の照明器具用脱落防止金具の取り付け状態を示す説明図。
【図６】第２実施形態の照明器具用脱落防止金具の側面図。
【図７】第２実施形態の照明器具用脱落防止金具における第３部材の形状を示す説明図。
【発明を実施するための形態】
【００１６】
Ａ.第１実施形態：
図１は、第１実施形態としての照明器具用脱落防止金具１を照明器具１０に取り付けた状態を示す斜視図である。また、図２は、第１実施形態の照明器具用脱落防止金具１を照明器具１０に取り付けた状態を示す平面図であり、図３は、図２における３−３矢視図である。図示するように、照明器具１０は、トンネルなどの内壁に設けられたアンカーボルト（図示せず）に取り付けられた基台６に元々固定されている。基台６は、４つの脚部１１ないし１４と基板９とからなる。基板９は脚部１１ないし１４に溶接されている。照明器具１０は、この基板９に図示しないネジ等で背面から固定されている。なお、照明器具１０の前面には、透光性の照明パネル８が金具１５ないし１８により取り付けられている。照明器具１０内部の光源灯１９（図２参照）を取り替える場合には、金具１５，１８の取付ビスを外すと、照明パネル８は、蝶番金具１６，１７により手前に開くようになっている。
【００１７】
本実施形態の照明器具用脱落防止金具１は、既設の照明器具１０に、後から取付られるものであり、照明器具用脱落防止金具１が取り付けられる以前には、照明器具１０は、４つの脚部１１〜１４と基板９とからなる基台６に固定されている。かかる状態の照明器具１０に対して、次のようにして、照明器具用脱落防止金具１は、取り付けられる。
【００１８】
まず、既に設けられているアンカーボルトの近傍に４つのアンカーボルトを設置する。アンカーボルトの設置は周知の技術なので詳しい説明は省略するが、所定の内径および深さの下穴を開け、ここに雄ネジが突出したタイプのアンカーボルトまたは雌ネジが形成されたタイプのアンカーボルトを設置する。アンカーボルトはいわゆる打込みタイプのものでも良いし、接着剤を硬化させて固定するタイプのものでも良い。図に例示した照明器具用脱落防止金具１では、アンカーボルトは、もともと設けられた照明器具１０取付用のアンカーボルトよりもそれぞり内側かつ照明器具１０寄りに設けた。
【００１９】
次に、このアンカーボルトに第１ないし第４脚部材２０，３０，４０，５０を取り付ける。第１ないし第４脚部材２０ないし５０はいずれも同一の構成を有するので、第１脚部材２０を例にとってその構成を説明する。第１脚部材２０は、第１部材２１とこれに長さ方向に取り付けられる第２部材２２とから構成されている。第１，第２部材２１，２２共に、略Ｌ字形状をしている。第１部材２１は、折り曲げられた短い側には、アンカーボルト取付用の穴が設けられており、折り曲げられた長い側には、第２部材２２との接続用の穴が設けられている。他方、第２部材２２の折り曲げられた短い側には穴は形成されておらず、折り曲げられ長い側には、図４に示すように、第１部材２１との接続用の長孔２３と、後述する連結ボルト２５を固定する貫通孔２９とが設けられている。
【００２０】
第１部材２１と第２部材２２とは、図１に示すように、ボルト・ナットにより固定される。このとき、両者を接続した全長は、長孔２３により調整可能である。各第１ないし第４脚部材２０ないし５０は、取付前には、このボルト・ナット２４を仮止めしておき、取付後に長さを調整して、固く締め込み、ロックタイトなどにより緩み止めを施す。もとより、ナットとして緩み止め機構を付いたものを用いても良い。同様に、第２ないし第４脚部材３０，４０，５０にも、それぞれの第１部材３１，４１，５１および第２部材３２，４２，５２が設けられており、その各穴および長孔（例えば各第３脚部材３０であれば、長孔３３）を用いて、同様にその長さが調整される。
【００２１】
第１ないし第４脚部材２０ないし５０を、トンネル内壁に設けられたアンカーボルトに固定したのち、第２部材２２，３２，４２，５２の折り曲げられた短い側が、照明器具１０の表面を接するように、その長さを調整し、固定用のボルト・ナット２４等を締めて、第１ないし第４脚部材２０ないし５０が、照明器具１０を上下方向から挟持する状態とする。更に、この状態で、第１脚部材２０の貫通孔２９に連結ボルト２５を通し、反対側の５０の貫通孔（図示せず）に通して、ナット５６を取り付け、締付ける。このとき、ナットは、第４脚部材５０の側では、第２部材５２の両面に設け、ナットの緩みが生じないようにしている。
【００２２】
同様に、第２脚部材３０の貫通孔にも、連結ボルト３５を通し、反対側の第３脚部材４０の第２部材４２に設けられた貫通孔に通し、ナット４６により固定する。連結ボルト２５，３５のナット５６，４６による固定位置を調整することにより、第１ないし第４脚部材２０ないし５０の第２部材２２ないし５２は、照明器具１０の側面に接し、更に照明器具１０の側面に押しつけられる。このため、照明器具１０は、第１ないし第４脚部材２０ないし５０からなる照明器具用脱落防止金具１により、しっかりと保持されることになる。このため、仮に、照明器具１０の取り付けのために元から用いられていた脚部１１ないし１４や基板９が、長期間の使用により痛んだり腐食したり、あるいは脚部１１ないし１４を固定しているアンカーボルトが緩んだりして、脚部１１ないし１４による照明器具１０の固定が困難になっても、照明器具用脱落防止金具１が照明器具１０をしっかりと保持しているので、照明器具１０が脱落することがない。
【００２３】
しかも、本実施形態の照明器具用脱落防止金具１の第１ないし第４脚部材２０ないし５０は、第１部材２１等と第２部材２２等から構成されているので、照明器具１０において照明パネル８を開いて、光源灯１９を取り替える際には、第１，第２部材２１，２２のボルト・ナット２４を緩め、更に連結ボルト２５，３５を緩めれば良く、いちいち照明器具用脱落防止金具１全体を取り外す必要がない。
【００２４】
Ｂ.第２実施形態：
次に本発明の第２実施形態について説明する。第２実施形態の照明器具用脱落防止金具１０５の構成を図５ないし図７に示した。図５は、既設の照明器具１００に第２実施形態の照明器具用脱落防止金具１０５を取り付けた状態を、上面及び正面からの図示により示す説明図である。図６は、同様の状態を側面から示す側面図である。
【００２５】
図示するよう、本実施形態の照明器具用脱落防止金具１０５は、第１ないし第４脚部材１２０ないし１５０を備える。これらの脚部材は、照明器具１００の既設の基台１０６を構成する脚部１１１ないし１１４を、第１部材１１１ないし１１４として用いる。この第１部材１１１ないし１１４は、第１実施形態において基台６を構成していた脚部１１ないし１４と同一のものである。第２実施形態では、この脚部１１ないし１４を、第１ないし第４脚部材１２０ないし１５０の第１部材１１１ないし１１４として用いる。
【００２６】
第１ないし第４脚部材１２０ないし１５０は、いずれも同じ構造を有するので、以下、第２脚部材１３０を例にして説明する。第２脚部材１３０は、第１部材１１２に接続される第２部材１３２を有する。この第２部材１３２は、挟持部材２３０を用いて、第１部材１１２に連結される。挟持部材２３０は、図７に示したように、板材を１８０度、所定の隙間ＧＰを空けて折り返した形状をしており、その平面図に示すように、隙間ＧＰを空けて向き合った一方の挟持板２３３に二つの穴が開けられ、他方の挟持板２３４に一つの穴が開けられている。挟持板２３３の２つの穴のうち、他方の挟持板２３４に対応する穴がない方の穴には、ナット２３２が溶接されており、ここに止めネジ２３１が螺合される。挟持板２３４に設けられた穴には、ナット２３６が同様に溶接されている。このナット２３６には、他方の挟持板２３３の貫通孔を介して、止めネジ２３５が螺合される。
【００２７】
この挟持部材２３０を用いた第２部材１３２の取り付けについて説明する。照明器具１００が取り付けられている基台６の脚部１２でもある第２脚部材１３０の第１部材１１２を、この挟持部材２３０の隙間ＧＰに迎え入れるように、挟持部材２３０を、第１部材１１２に取り付ける。このとき、止めネジ２３５は外されている。隙間ＧＰの奥まで第１部材１１２を挿入した状態で、次に挟持部材２３０の隙間ＧＰに第２部材１３２を差し入れる。第２部材１３２端には、貫通孔が設けられているので、止めネジ２３５を、挟持板２３３の貫通孔と第２部材１３２の貫通孔に通し、最後にナット２３６に螺合させる。止めネジ２３５を締めることで、挟持部材２３０は、第２部材１３２を挟持し、両者は確実に固定される。
【００２８】
この状態では、まだ他方の止めネジ２３１は締付けられていないが、挟持部材２３０は、第２部材１３２に固定されているから、挟持部材２３０が第１部材１１２から脱落することはない。そこで、第２部材１３２と挟持部材２３０とを移動して、第２部材１３２の先端が照明器具１００の照明パネルを把持するように、その位置を調整する。その後、止めネジ２３１を強く締め込み、その位置で、挟持部材２３０を第１部材１１２に固定する。
【００２９】
以上説明した第２脚部材１３０と同様に、第１脚部材１２０の挟持部材２２０をその第２部材１２２に固定し、第３脚部材１４０の挟持部材２４０を止めネジ２４１，２４５やナット２４６により、その第２部材１４２に固定し、第４脚部材１５０の挟持部材２５０をその第２部材１５２に固定する。その上で、対応する第１脚部材１２０と第４脚部材１５０とを連結ボルト１２５で連結し、対応する第２脚部材１３０と第３脚部材１４０とを連結ボルト１３５で連結する。両連結ボルト１２５，１３５による連結の手法は、第１実施形態と同様である。
【００３０】
以上説明した第２実施形態の照明器具用脱落防止金具１０５では、第１実施形態との照明器具用脱落防止金具１と同様に、照明器具１００の脱落を防止できる上、第１部材として、既設の脚部１１ないし１４を用いるので、改めてアンカーボルトを設置する必要がない。照明器具１００の脱落は、照明器具１００を基台に固定している部分が腐食したりして起きることが多く、４箇所でアンカーボルトに固定された基台自体が脱落することはないので、このような実施形態をとっても、照明器具１００の脱落は十分に防止できる。また、この実施形態でも、止めネジ２３１を緩めれば、第２脚部材１３０は前後に移動可能となるので、他の脚部材も同様に緩めて、照明パネルの開閉を行なうことができる。このとき、各気脚部材は前後に移動できるが、第２部材が固定されているので、第１部材１１１ないし１１４である脚部１１ないし１４から脱落することがない。
【００３１】
Ｃ．変形例：
以上説明した第１，第２実施形態では、脚部材は、照明器具の上下にそれぞれ２箇所ずつ設け二組としたが、上下１箇所にそれぞれ設け、一組としてもよい。あるいは３組以上としても良い。更に下に２箇所、上に１箇所のように、異なる数の脚部材を配置しても良い。その場合には、連結ボルトは、少ない数の第２部材に複数箇所で連結するものとすればよい。連結ボルトは、上下の脚部材を連結できれば良く、必ずしも他の連結ボルトと平行に設置する必要はない。
【００３２】
第２実施形態では、挟持部材２３０等は板材を折り曲げて形成したが、削り出しにより、同様の形状に形成しても良い。また挟持部材２３０等は、止めネジにより、第１部材１１２等に固定したが、溶接しても差し支えない。この場合、第２部材１３２等の位置の調整は、第２部材１３２に設けた貫通孔を長孔にしておけば可能である。
【００３３】
第１実施形態において、第１ないし第４脚部材２０ないし５０を形成する各板材の厚みは、脚部１１ないし１４などの板材の厚みと同等でも良く、より厚い板材を用いるものとしても良い。また、板材は、ステンレスでも良いし、メッキや塗装などを施した鋼材でも良い。第１，第２実施形態では、脚部材は、既設の基台の内側に設けたが、外側としても良い。
【００３４】
以上本発明のいくつかの実施形態について説明したが、本発明は、こうした実施形態に何ら限定されるものではなく、本発明の要旨を逸脱しない範囲内において、種々の形態で実施できることは勿論である。
【符号の説明】
【００３５】
１…照明器具用脱落防止金具
２…ボルト・ナット
６…基台
８…照明パネル
９…基板
１０…照明器具
１１，１２，１３，１４…脚部
１５，１８…金具
１６，１７…蝶番金具
１９…光源灯
２０…第１脚部材
２１，３１，４１，５１…第１部材
２２，３２，４２，５２…第２部材
２３…長孔
２４…ボルト・ナット
２５…連結ボルト
２９…貫通孔
３０…第２脚部材
３３…長孔
４０…第３脚部材
４６…ナット
５０…第４脚部材
５６…ナット
１００…照明器具
１０５…照明器具用脱落防止金具
１０６…基台
１１１〜１１４…第１部材（脚部）
１２０…第１脚部材
１２２，１３２，１４２、１５２…第２部材
１２５，１３５…連結ボルト
１３０…第２脚部材
１４０…第３脚部材
１５０…第４脚部材
２２０，２３０，２４０，２５０…挟持部材
２３１…ネジ
２３２…ナット
２３３…挟持板
２３４…挟持板
２３５…ネジ
２３６…ナット
２４１…ネジ
２４６…ナット
ＧＰ…隙間
【要約】
【課題】トンネル内などに既設の照明器具の脱落を防止する。
【解決手段】壁面から離間した位置に、支持用の基台を介して取付けられた照明器具用の脱落防止金具を提供する。この金具は、既設の照明器具の少なくとも上辺および下辺の対応する位置に設けられた第１部材と、この第１部材のそれぞれに取り付けられ、この第１部材から照明器具の前面に至る長さを有し、照明器具を保持する第２部材と、照明器具の上辺および下辺の対応する位置設けられた第２部材同士を、照明器具の背面側で連結する連結具とを備える。
【選択図】図１【図１】
0005992083.tif 000002
【図２】
0005992083.tif 000003
【図３】
0005992083.tif 000004
【図４】
0005992083.tif 000005
【図５】
0005992083.tif 000006
【図６】
0005992083.tif 000007
【図７】
0005992083.tif 000008